(57)【要約】【課題】サービスに応じてカット動作を最適化できる写真撮影装置等を提供する。【解決手段】写真撮影装置２は、ユーザをカメラにより撮影して画像を得る撮影部１１０と、画像を画像サーバ３からダウンロードするダウンロード部１２０と、画像のプリントを行うプリント部１４０と、撮影部１１０で撮影した画像を証明写真として登録サーバ４に送信する証明写真登録部１３０と、を有し、プリント部１４０は、撮影部１１０で撮影した画像であって登録サーバ４に送信しないものを証明写真としてプリントする場合と、登録サーバ４に送信する画像を証明写真としてプリントする場合と、画像サーバ３からダウンロードした画像をプリントする場合と、で用紙のカット動作を切替える。【選択図】図７
2019151017.tif 000002
【特許請求の範囲】
【請求項１】
ユーザをカメラにより撮影して画像を得る撮影部と、
画像を画像サーバからダウンロードするダウンロード部と、
ロール状の用紙に画像をプリントし、前記用紙をカットしてプリント物を作成するプリント部と、
前記撮影部で撮影した画像を証明写真として登録サーバに送信する証明写真登録部と、
を有し、
前記プリント部は、
前記撮影部で撮影した画像であって前記登録サーバに送信しないものを証明写真としてプリントする場合と、
前記登録サーバに送信する画像を証明写真としてプリントする場合と、
前記画像サーバからダウンロードした画像をプリントする場合とで、
前記用紙のカット動作をシングルカットとダブルカットの間で切り替えることを特徴とする写真撮影装置。
【請求項２】
前記プリント部は、
前記撮影部で撮影した画像であって前記登録サーバに送信しないものを証明写真としてプリントする場合、シングルカットを行い、
前記画像サーバからダウンロードした画像をプリントする場合、ダブルカットを行い、
前記登録サーバに送信する画像を証明写真としてプリントする場合、証明写真に背景絵柄が有る場合にダブルカットを行い、証明写真に背景絵柄が無い場合にシングルカットを行うことを特徴とする請求項１記載の写真撮影装置。
【請求項３】
前記プリント部は、
前記撮影部で撮影した画像であって前記登録サーバに送信しないものを証明写真としてプリントする場合、および、前記登録サーバに送信する画像を証明写真としてプリントする場合において証明写真に背景絵柄が無い場合、
前回のプリントが残りの前記用紙の先端に印刷絵柄が残るようなダブルカットによって行われたかどうかを判定し、
前回のプリントが残りの前記用紙の先端に印刷絵柄が残るようなダブルカットによって行われたと判定される場合に、ダブルカットを行うことを特徴とする請求項２に記載の写真撮影装置。
【請求項４】
前記プリント部は、
前記画像サーバからダウンロードした画像をプリントする場合、および、前記登録サーバに送信する画像を証明写真としてプリントする場合において証明写真に背景絵柄が有る場合、
残りの前記用紙の先端に印刷絵柄が残るようなダブルカットが画像のプリント時に行われることを示す目印ファイルを作成することを特徴とする請求項３に記載の写真撮影装置。
【請求項５】
前記プリント部は、
前回のプリントが残りの前記用紙の先端に印刷絵柄が残るようなダブルカットによって行われたと判定されたことによりダブルカットを行った場合、
前記目印ファイルを削除することを特徴とする請求項４に記載の写真撮影装置。
【請求項６】
請求項１から請求項５のいずれかに記載の写真撮影装置と、
ユーザ端末と、
前記画像サーバと、
前記登録サーバと、
を有し、
前記ユーザ端末は、画像を前記画像サーバに送信する
ことを特徴とする画像プリントシステム。
【発明の詳細な説明】
【技術分野】
【０００１】
本発明は、写真撮影装置、および画像プリントシステムに関する。
【背景技術】
【０００２】
スマートフォン等の記憶部に格納されたユーザの画像を街頭のプリント装置でプリントする画像プリントサービスは種々存在し、コンビニエンスストアや家電量販店等に設置されているプリント装置でプリントを行うことが可能である。
【０００３】
特許文献１には、証明写真の撮影ボックスにおいて、カメラ付き通信装置（携帯電話）に保存された一般的な画像をプリントできるサービスが記載されている。特許文献１のサービスでは、カメラ付き通信装置からサーバに送信された画像を撮影ボックスでダウンロードしてプリントする。
【先行技術文献】
【特許文献】
【０００４】
【特許文献１】特開2004−240737号公報
【発明の概要】
【発明が解決しようとする課題】
【０００５】
通常の撮影ボックスでは証明写真撮影サービスのみを提供しており、このようなサービスでは一般的にロール状の用紙のシングルカットを行って証明写真のプリント物を作成している。しかしながら、特許文献１のような画像プリントサービスにおいて一般的な画像をプリントする際の最適なカット動作は異なる。このように、様々なサービスを提供する撮影ボックスでは、これらのサービスに対応してカット動作を最適化し、綺麗なプリント物を提供する必要がある。
【０００６】
本発明は上記の問題に鑑みてなされたものであり、サービスに応じてカット動作を最適化できる写真撮影装置等を提供することを目的とする。
【課題を解決するための手段】
【０００７】
前述した課題を解決するための第１の発明は、ユーザをカメラにより撮影して画像を得る撮影部と、画像を画像サーバからダウンロードするダウンロード部と、ロール状の用紙に画像をプリントし、前記用紙をカットしてプリント物を作成するプリント部と、前記撮影部で撮影した画像を証明写真として登録サーバに送信する証明写真登録部と、を有し、前記プリント部は、前記撮影部で撮影した画像であって前記登録サーバに送信しないものを証明写真としてプリントする場合と、前記登録サーバに送信する画像を証明写真としてプリントする場合と、前記画像サーバからダウンロードした画像をプリントする場合とで、前記用紙のカット動作をシングルカットとダブルカットの間で切り替えることを特徴とする写真撮影装置である。
【０００８】
本発明の写真撮影装置では、上記のようにサービスに応じてカット動作を切り替えることで、綺麗なプリント物をユーザに提供しつつ、且つメンテナンス機会を最小化する最適なカット動作を実現できる。
【０００９】
前記プリント部は、前記撮影部で撮影した画像であって前記登録サーバに送信しないものを証明写真としてプリントする場合、シングルカットを行い、前記画像サーバからダウンロードした画像をプリントする場合、ダブルカットを行い、前記登録サーバに送信する画像を証明写真としてプリントする場合、証明写真に背景絵柄が有る場合にダブルカットを行い、証明写真に背景絵柄が無い場合にシングルカットを行うことが望ましい。
具体的には、上記のようにカット動作を切り替えることで、必要な場合のみにダブルカットを行い、カットクズの量も最小限に押え、メンテナンス機会も最小化できる。
【００１０】
前記プリント部は、前記撮影部で撮影した画像であって前記登録サーバに送信しないものを証明写真としてプリントする場合、および、前記登録サーバに送信する画像を証明写真としてプリントする場合において証明写真に背景絵柄が無い場合、前回のプリントが残りの前記用紙の先端に印刷絵柄が残るようなダブルカットによって行われたかどうかを判定し、前回のプリントが残りの前記用紙の先端に印刷絵柄が残るようなダブルカットによって行われたと判定される場合に、ダブルカットを行うことが望ましい。
これにより、前回のプリント後に残った用紙の先端の印刷絵柄を切り離して綺麗な証明写真を提供することが可能になる。
【００１１】
前記プリント部は、前記画像サーバからダウンロードした画像をプリントする場合、および、前記登録サーバに送信する画像を証明写真としてプリントする場合において証明写真に背景絵柄が有る場合、残りの前記用紙の先端に印刷絵柄が残るようなダブルカットが画像のプリント時に行われることを示す目印ファイルを作成することが望ましい。
この目印ファイルを参照することにより、前回のプリントが残りの用紙の先端に印刷絵柄が残るようなダブルカットによって行われたかどうかの前記した判定を好適に行うことができる。
【００１２】
前記プリント部は、前回のプリントが残りの前記用紙の先端に印刷絵柄が残るようなダブルカットによって行われたと判定されたことによりダブルカットを行った場合、前記目印ファイルを削除することが望ましい。
上記の目印ファイルは、当該目印ファイルを参照して前記の判定を行い、その結果から証明写真のダブルカットを行った後は不要になるので、これを削除する。
【００１３】
第２の発明は、第１の発明の写真撮影装置と、ユーザ端末と、前記画像サーバと、前記登録サーバと、を有し、前記ユーザ端末は、画像を前記画像サーバに送信することを特徴とする画像プリントシステムである。
【発明の効果】
【００１４】
本発明により、サービスに応じてカット動作を最適化できる写真撮影装置等を提供することが可能となる。
【図面の簡単な説明】
【００１５】
【図１】画像プリントシステム１を示す図。
【図２】写真撮影装置２の外観を示す図。
【図３】写真撮影装置２のシステム構成を示す図。
【図４】制御装置２０のハードウェア構成を示す図。
【図５】画像サーバ３のハードウェア構成を示す図。
【図６】ユーザ端末５のハードウェア構成を示す図。
【図７】写真撮影装置２の機能構成を示す図。
【図８】画像プリント方法の手順を示すフローチャート。
【図９】画像プリント方法の手順を示すフローチャート。
【図１０】プリントする画像の例。
【図１１】画像プリントサービスの手順を示すフローチャート。
【図１２】証明写真撮影サービスの手順を示すフローチャート。
【図１３】証明写真登録サービスの手順を示すフローチャート。
【図１４】プリンタ２５を示す図。
【図１５】シングルカットとダブルカットを示す図。
【図１６】カット動作の切替手順を示すフローチャート。
【図１７】プリント物Ｐを示す図。
【発明を実施するための形態】
【００１６】
以下、図面に基づいて本発明の好適な実施形態について詳細に説明する。
【００１７】
（１．画像プリントシステム１）
図１は本発明の実施形態に係る画像プリントシステム１を示す図である。図１に示すように、本実施形態の画像プリントシステム１は、写真撮影装置２、画像サーバ３、登録サーバ４、およびユーザ端末５がネットワーク６を介して通信可能に接続された構成を有する。
【００１８】
写真撮影装置２はユーザが自身の撮影を行うものであり、例えば街頭に設置された証明写真の撮影ボックスである。写真撮影装置２はボックス内のユーザを撮影してその画像を証明写真としてプリントする機能（証明写真撮影サービス）に加え、ユーザ端末５から画像サーバ３に送信されたユーザの画像のプリントを行う機能（画像プリントサービス）、ユーザを撮影してその画像を証明写真として登録サーバ４に登録する機能（証明写真登録サービス）を有する。
【００１９】
図２は写真撮影装置２の外観を示す図であり、図３は写真撮影装置２のシステム構成を示す図である。
【００２０】
写真撮影装置２はユーザが中に入って撮影を行うボックス状の外観を有し、制御装置２０、表示部２１、課金部２２、撮影部２３、照明２４、プリンタ２５、センサ２６、カーテン２７、プリント物取出口２８等を有する。
【００２１】
制御装置２０は写真撮影装置２の内部に設けられ、写真撮影装置２の処理全体を制御する。
【００２２】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２３】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２４】
記憶部２０２はハードディスクドライブやソリッドステートドライブ、フラッシュメモリ等であり、後述する処理に際し制御装置２０が実行するプログラム、プログラム実行に必要なデータ、OSなどが格納される。これらのプログラムやデータは、制御部２０１により必要に応じて読み出され実行される。
【００２５】
入力部２０３は制御装置２０に各種の設定入力を行うものである。
通信部２０４はネットワーク６等を介した通信を媒介する通信インタフェースであり、画像サーバ３、登録サーバ４等との間で通信を行う。
【００２６】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２７】
課金部２２は、硬貨や紙幣の投入口、つり銭返却口、レシート取出口、レシートプリンタ等（不図示）を備え、ユーザからの課金やレシートの発行を管理する。
【００２８】
撮影部２３は、撮影窓の内側にカメラ等を設けたものである。カメラには例えば高解像度のデジタルカメラが用いられるが、これに限ることはない。
【００２９】
照明２４は、ユーザを含むボックス内の全体を照らす照明である。照明２４は例えば白色の光を照射する面光源であり、撮影部２３の上部に設けられるが、これに限ることはない。なお、写真撮影装置２には撮影時のフラッシュ用にストロボ光源も設けられる。
【００３０】
プリンタ２５は、画像をプリントするものであり、写真撮影装置２の内部に設けられる。画像をプリントしたプリント物はプリント物取出口２８に排出される。プリンタ２５の方式や設置台数等は特に問わない。
【００３１】
センサ２６は、写真撮影装置２のボックス内に入ったユーザを検知するセンサである。センサ２６は例えば赤外線センサであるが、これに限ることはない。
【００３２】
カーテン２７は、写真撮影装置２のボックス内を外部から遮るものである。
【００３３】
図１の説明に戻る。画像サーバ３は、写真撮影装置２でプリントする画像を管理するサーバである。
【００３４】
図５は、画像サーバ３のハードウェア構成を示す図である。図５に示すように、画像サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３５】
制御部３１、記憶部３２、入力部３４、通信部３５の機能は前記した制御部２０１、記憶部２０２、入力部２０３、通信部２０４と略同様である。また表示部３３は液晶パネル等のディスプレイ装置を有する。
【００３６】
なお、記憶部３２には後述する処理を画像サーバ３に実行させるためのプログラムが格納される。また入力部３４はキーボード、マウス等のポインティングデバイス、テンキー等の入力装置を有する。
【００３７】
図１の説明に戻る。登録サーバ４は、ユーザを撮影して得た画像を証明写真として登録するサーバである。登録サーバ４のハードウェア構成は画像サーバ３と同様である。
【００３８】
ユーザ端末５はユーザが所持するコンピュータ端末であり、例えばスマートフォン等の携帯端末を用いることができる。
【００３９】
図６はユーザ端末５のハードウェア構成を示す図である。図６に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４０】
制御部５１、記憶部５２、入力部５４、通信部５５の機能は前記した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカー等である。
【００４１】
なお、記憶部５２には専用のアプリケーションプログラムが格納されており、これにより後述する処理をユーザ端末５によって実行させる。
【００４２】
図７は写真撮影装置２の機能構成を示す図である。図７に示すように、写真撮影装置２は、撮影部１１０、ダウンロード部１２０、証明写真登録部１３０、プリント部１４０等を有する。
【００４３】
撮影部１１０は前記の撮影部２３に対応し、カメラによってボックス内のユーザを撮影して画像（以下、撮影画像ということがある）を得るものである。
【００４４】
ダウンロード部１２０は、画像サーバ３から画像をダウンロードするものである。
【００４５】
証明写真登録部１３０は、ユーザを撮影した撮影画像を証明写真として登録サーバ４に登録するものである。
【００４６】
プリント部１４０は前記のプリンタ２５に対応し、ロール状の用紙への画像のプリントと当該用紙のカットを行ってプリント物を作成するものである。特に本実施形態では、写真撮影装置２が提供するサービスに応じて、プリント部１４０がプリント時の用紙のカット動作をシングルカットとダブルカットの間で切り替える。
【００４７】
（２．画像プリント方法）
次に、本実施形態の画像プリント方法について説明する。図８、９は画像プリント方法の手順の概略を示すフローチャートである。図８の各ステップのうち、Ｓ１１、Ｓ１５はユーザ端末５の制御部５１が実行し、Ｓ１２〜Ｓ１４は画像サーバ３の制御部３１が実行する。また図９の各ステップは写真撮影装置２の制御装置２０が実行する。
【００４８】
本実施形態では、まずユーザが自身のユーザ端末５でアプリケーションを立ち上げ、表示部５３に表示される選択画面（不図示）上で記憶部５２に格納された画像の中からプリントする画像を選択してそのプリント枚数を設定し、画像サーバ３への送信指示を行う。ユーザ端末５は、選択された画像とそのプリント枚数（画像等という）を画像サーバ３へ送信する（図８のＳ１１）。
【００４９】
画像サーバ３は、ユーザ端末５から画像等を受信する（Ｓ１２）と、画像をプリントするための注文ＩＤを作成し、画像等を注文ＩＤと紐付けて記憶部３２に記録する（Ｓ１３）。また、画像サーバ３は注文ＩＤをユーザ端末５に送信する（Ｓ１４）。ユーザは、ユーザ端末５にて注文ＩＤを受信する（Ｓ１５）。注文ＩＤはプリントする画像等を識別する注文識別情報であり、Ｓ１４では注文ＩＤをコード化した二次元コードをユーザ端末５に送信してもよい。
【００５０】
ユーザは、街頭の写真撮影装置２に向かい、写真撮影装置２のボックス内に入る。写真撮影装置２は、センサ２６でボックス内のユーザを検知する（図９のＳ２１）と表示部２１にトップ画面を表示する（Ｓ２２）。トップ画面では、通常の証明写真撮影サービスの他、証明写真登録サービス、画像プリントサービスへの移行を選択可能である。
【００５１】
写真撮影装置２は、トップ画面で画像プリントサービスへの移行が選択されると（Ｓ２３；画像プリントサービス）、画像プリントサービスの処理に移行し（Ｓ２４）、前記のＳ１１でユーザが画像サーバ３に送信した画像のプリントを実施する。図１０（ａ）はこの画像のプリント物Ｐの例である。画像プリントサービスの手順の詳細については後述する。
【００５２】
写真撮影装置２は、トップ画面で通常の証明写真撮影サービスへの移行が選択されると（Ｓ２３；証明写真撮影サービス）、証明写真撮影サービスの処理に移行し（Ｓ２５）、ユーザを撮影して得た撮影画像を証明写真としてプリントする。図１０（ｂ）はこの証明写真のプリント物Ｐの例である。通常、このプリント物Ｐでは証明写真の背景の絵柄は無く、用紙の地の部分となる。証明写真撮影サービスの詳細については後述する。
【００５３】
写真撮影装置２は、トップ画面で証明写真登録サービスへの移行が選択されると（Ｓ２３；証明写真登録サービス）、証明写真登録サービスの処理に移行し（Ｓ２６）、ユーザの撮影画像を証明写真として登録サーバ４に登録する。登録サーバ４は、証明写真の登録先ごとに証明写真を管理する。登録先は企業や会員サービスなど様々であり、また本実施形態ではこの証明写真のプリントも可能である。プリント物のデザインは選択可能であり、図１０（ｂ）のように背景の絵柄が無いものも、図１０（ｃ）のように登録先に応じた背景の絵柄が設定されたものもプリント可能である。証明写真登録サービスの詳細については後述する。
【００５４】
（３．画像プリントサービス）
図１１はＳ２４（図９参照）の画像プリントサービスの手順を示すフローチャートである。図１１のＳ２４１、Ｓ２４４〜２４６は写真撮影装置２の制御装置２０が実行し、Ｓ２４２、２４３は画像サーバ３の制御部３１が実行する。
【００５５】
画像プリントサービスに移行すると、写真撮影装置２は、まず注文ＩＤの入力画面（不図示）を表示し、入力画面で入力された注文ＩＤを画像サーバ３に送信する（Ｓ２４１）。なお、注文ＩＤの入力は前記の二次元コードを写真撮影装置２に設けた読取部（不図示）で読取らせることにより行ってもよい。
【００５６】
画像サーバ３は、注文ＩＤを受信する（Ｓ２４２）と、注文ＩＤに対応する画像等を写真撮影装置２に送信する（Ｓ２４３）。
【００５７】
写真撮影装置２は、画像等を受信（ダウンロード）すると（Ｓ２４４）、表示部２１に受信した画像および課金を促すメッセージを表示させる。ユーザは画像を確認し、課金部２２にて課金を行う。
【００５８】
写真撮影装置２は、課金を受付けると（Ｓ２４５）、Ｓ２４４でダウンロードした画像（以下、ダウンロード画像ということがある）をプリンタ２５によってプリントする（Ｓ２４６）。画像のプリントを行った旨の情報は上記の注文ＩＤ等とともに写真撮影装置２から画像サーバ３に送信し、注文ＩＤに対応する画像等を画像サーバ３において削除する。
【００５９】
（４．証明写真撮影サービス）
図１２はＳ２５（図９参照）の証明写真撮影サービスの手順を示すフローチャートである。図１２の各ステップは写真撮影装置２の制御装置２０が実行する。
【００６０】
証明写真撮影サービスに移行すると、写真撮影装置２は、まず写真撮影を行うためのメニュー画面を表示し、写真撮影とそのプリントを行うための諸設定（例えばプリント枚数や写真のサイズ、写真の用途（運転免許証用、パスポート用等）など）をメニュー画面にて受付ける（Ｓ２５１）。その後、写真撮影装置２は表示部２１に課金を促すメッセージを表示し、ユーザは課金部２２にて課金を行う。
【００６１】
写真撮影装置２は、課金を受付けると（Ｓ２５２）、ユーザの写真撮影を行い（Ｓ２５３）、撮影した画像を証明写真としてプリンタ２５によってプリントする（Ｓ２５４）。
【００６２】
（５．証明写真登録サービス）
図１３はＳ２６（図９参照）の証明写真登録サービスの手順を示すフローチャートである。図１３の各ステップは写真撮影装置２の制御装置２０が実行する。
【００６３】
証明写真登録サービスに移行すると、写真撮影装置２は、証明写真の撮影と登録を行うためのメニュー画面を表示し、前記と略同様の諸設定をメニュー画面にて受付ける（Ｓ２６１）。その他、ユーザはメニュー画面で証明写真の登録先の入力と証明写真のプリントをするかしないかの選択を行い、写真撮影装置２はユーザによる登録先の入力とプリントの有無の選択を受付ける（Ｓ２６２、Ｓ２６３）。
【００６４】
証明写真をプリントする場合（Ｓ２６４；ＹＥＳ）、写真撮影装置２は、証明写真のプリント物のデザインのユーザによる設定を受付ける（Ｓ２６５Ａ）。Ｓ２６５Ａでは、例えば図１０（ｂ）に示すように背景の絵柄を無いものをプリントするか、図１０（ｃ）に示すように登録先に応じた背景の絵柄を有するものをプリントするかを設定することが可能である。
【００６５】
その後、写真撮影装置２は表示部２１に課金を促すメッセージを表示し、ユーザは課金部２２にて課金を行う。写真撮影装置２は、課金を受付けると（Ｓ２６６Ａ）、ユーザの写真撮影を行い（Ｓ２６７Ａ）、撮影した画像を証明写真として登録サーバ４に送信し（Ｓ２６８Ａ）、登録サーバ４にて証明写真の登録を行う。また撮影した画像を証明写真としてプリンタ２５によりプリントする（Ｓ２６９Ａ）。
【００６６】
一方、写真撮影装置２は、証明写真のプリントを行なわない場合（Ｓ２６４；ＮＯ）、課金の受付（Ｓ２６６Ｂ）、ユーザの写真撮影（Ｓ２６７Ｂ）を経て、撮影した画像を証明写真として登録サーバ４に送信し（Ｓ２６８Ｂ）、処理を終了する。
【００６７】
（６．プリンタ２５）
図１４はプリンタ２５を示す図である。プリンタ２５は、リールに巻かれたロール状の用紙１００を搬送ローラー２５１で搬送しつつ、印画装置２５２にて用紙１００上に画像を形成するものである。印画後の用紙１００はカッター２５３にて切断され、プリント物Ｐとしてプリント物取出口２８に排出される。
【００６８】
本実施形態では、証明写真撮影サービスと画像プリントサービス、証明写真登録サービスの間でシングルカットとダブルカットの２種類のカット動作を切り替え可能である。シングルカットとダブルカットは周知のカット動作であるが、以下簡単に説明する。
【００６９】
シングルカットは、図１５（ａ）に示すように１か所の切断線Ｃで用紙１００を幅方向に１回切断し、１枚のプリント物Ｐをプリント物取出口２８に排出するものである。図１５（ａ）の１０１は印画領域であり、切断線Ｃはプリント物Ｐに用紙１００の地の部分（未印画の部分）が残るように設定される。用紙１００の幅方向は用紙１００の搬送方向（図１５の上下方向に対応する）と平面において直交する方向である。
【００７０】
一方、ダブルカットは、図１５（ｂ）に示すように２か所の切断線Ｃで用紙１００を２回切断し、１枚のプリント物Ｐとカットクズ１０２を排出する。プリント物Ｐはプリント物取出口２８に排出され、カットクズ１０２はスタッカ２５４（図１４参照）に排出される。この場合、切断線Ｃは用紙１００の搬送方向における印画領域１０１の端部で印画領域１０１と重なるように設定される。
【００７１】
これはプリント物Ｐに用紙１００の地の部分を残さないためであり、特に図１０（ａ）のようなダウンロード画像のプリント物Ｐや図１０（ｃ）のような背景絵柄付きの証明写真のプリント物Ｐでは用紙１００の地の部分が残ると見た目が綺麗でなく、これを防ぐために上記のダブルカットが行われる。
【００７２】
これらのカット動作は、制御装置２０によって搬送ローラー２５１とカッター２５３の動作を制御することで実現できる。
【００７３】
図１６はこのカット動作の切り替えについて示すフローチャートである。本実施形態では、まず、写真撮影装置２の制御装置２０がサービスの判別を行う（Ｓ３１）。
【００７４】
制御装置２０は、画像プリントサービスの場合（Ｓ３１；画像プリントサービス）、目印ファイルを作成した後（Ｓ３２）、ダブルカットによるダウンロード画像のプリントを実行する（Ｓ３３）。
【００７５】
図１７（ａ）はこの時のプリント物Ｐについて示す図である。ダブルカットは前記したようにプリント物Ｐに用紙１００の地の部分を残さないために行われるが、残りの用紙１００の先端にはダウンロード画像の一部の印刷絵柄Ａが残ることになる。
【００７６】
上記の目印ファイルは、このように、Ｓ３３におけるプリント時に残りの用紙１００の先端に印刷絵柄Ａが残るようなダブルカットが行われることを示すために作成し、後述するカット動作の制御に利用する。
【００７７】
制御装置２０は、証明写真登録サービスで証明写真のプリントが選択されている場合（Ｓ３１；証明写真登録サービス）、前記のＳ２６５Ａ（図１３参照）で行われた証明写真のデザインの設定によりダブルカットを行うかどうかを判定する（Ｓ３４）。
【００７８】
すなわち、制御装置２０は、証明写真が背景の絵柄を有しているときにダブルカットを行うと判定し（Ｓ３４；ＹＥＳ）、前記と同じく目印ファイルを作成した後（Ｓ３２）、ダブルカットによる証明写真のプリントを実行する（Ｓ３３）。
【００７９】
図１７（ｂ）はこの時のプリント物Ｐを示す図である。この場合も、ダブルカットがプリント物Ｐに用紙１００の地の部分を残さないために行われ、残りの用紙１００の先端には背景の絵柄の一部の印刷絵柄Ａが残っている。
【００８０】
制御装置２０は、証明写真に背景の絵柄が無いときにはダブルカットを行わない（シングルカットを行う）と判定する（Ｓ３４；ＮＯ）。すなわち、この場合は図１０（ｂ）のように背景絵柄の無い証明写真をプリントすることからプリント物Ｐに用紙１００の地の部分が残っていても良く、基本的にダブルカットは不要でありシングルカットを行う。
【００８１】
ただし本実施形態では、Ｓ３３でダブルカットによるプリントを行った場合に残りの用紙１００の先端に印刷絵柄Ａが残る（図１７（ａ）、（ｂ）参照）ことを考慮して、当該印刷絵柄Ａが証明写真のプリント物Ｐに残らないような制御を行う。
【００８２】
すなわち、制御装置２０は、まず前記の目印ファイルの有無により、前回のプリント時に、Ｓ３３におけるプリント（残りの用紙１００の先端に印刷絵柄Ａが残るようなダブルカットによるプリント）が実行されたか否かを判定する（Ｓ３５）。
【００８３】
制御装置２０は、目印ファイルが存在し、前回のプリント時にＳ３３におけるプリントが実行されたと判定される場合（Ｓ３５；ＹＥＳ）、ダブルカットによる証明写真のプリントを実行する（Ｓ３７）。
【００８４】
図１７（ｃ）はこの時のプリント物Ｐの例である。すなわち、このケースでは、先端に印刷絵柄Ａが残った用紙１００に対し、ダブルカットを行うことによりこの印刷絵柄Ａをカットクズ１０２として切り離すとともに、用紙１００に証明写真のプリントを行う。このケースでは証明写真に背景絵柄が無いので、残りの用紙１００の先端に印刷絵柄Ａが残ることもない。
【００８５】
目印ファイルは、残りの用紙１００の先端に印刷絵柄Ａが残るようなダブルカットを行ったことを示すものなので、上記のように残りの用紙１００の先端に印刷絵柄Ａが残らないようなダブルカットを行った後は不要となるためこれを削除する（Ｓ３８）。
【００８６】
一方、制御装置２０は、目印ファイルが存在せず、前回のプリント時にＳ３３におけるプリントが実行されていないと判定される場合（Ｓ３５；ＮＯ）、シングルカットによる証明写真のプリントを実行する（Ｓ３６）。
【００８７】
図１７（ｄ）はこの時のプリント物Ｐの例である。このケースでは、先端に印刷絵柄Ａが残っていない用紙１００に対して証明写真がプリントされる。上記と同様、残りの用紙１００の先端に印刷絵柄Ａが残ることもない。
【００８８】
上記したＳ３５からのフローは、一般の証明写真撮影サービス（ユーザの撮影画像であって登録サーバ４に送信しないものを証明写真としてプリントするサービス）の場合も同様である。
【００８９】
つまり、この場合も図１０（ｂ）のように背景絵柄の無い証明写真をプリントすることから基本的にはシングルカットを行うが、Ｓ３３でダブルカットによるプリントを行った場合に残りの用紙１００の先端に印刷絵柄Ａが残ることを考慮して、当該印刷絵柄Ａが証明写真のプリント物Ｐに残らないような制御を行う。
【００９０】
すなわち、制御装置２０は、証明写真撮影サービスの場合（Ｓ３１；証明写真撮影サービス）、前記の目印ファイルの有無により前回のプリント時にＳ３３におけるプリントが実行されたか否かを判定する（Ｓ３５）。
【００９１】
制御装置２０は、目印ファイルが存在し、前回のプリント時にＳ３３におけるプリントが実行されたと判定される場合（Ｓ３５；ＹＥＳ）、ダブルカットによる証明写真のプリントを実行する（Ｓ３７）。プリントを行った後、目印ファイルは削除する（Ｓ３８）。この時のプリント物Ｐは図１７（ｃ）と同様であるので説明を省略する。
【００９２】
一方、目印ファイルが存在せず、前回のプリント時にＳ３３におけるプリントが実行されていないと判定される場合（Ｓ３５；ＮＯ）、シングルカットによる証明写真のプリントを実行する（Ｓ３６）。この時のプリント物Ｐは図１７（ｄ）と同様であるので説明を省略する。
【００９３】
以上説明したように、本実施形態の写真撮影装置２は、前記のようにサービスに応じてカット動作を切り替えることで、綺麗なプリント物をユーザに提供しつつ、且つメンテナンス機会を最小化する最適なカット動作を実現できる。
【００９４】
具体的には、証明写真撮影サービスの場合にシングルカットを行い、画像プリントサービスの場合にダブルカットを行い、証明写真登録サービスにおいて証明写真をプリントする場合、証明写真のプリント物Ｐの背景絵柄の有無に応じてシングルカットを行うかダブルカットを行うか判定する。本実施形態では必要な場合のみにダブルカットを行うので、カットクズ１０２の量も最小限に押え、メンテナンス機会も最小化できる。
【００９５】
また、本実施形態では、シングルカットを行う場合であっても、前回のプリント後に用紙１００の先端に印刷絵柄Ａが残るようなケースにおいては、ダブルカットを行うことで用紙の先端の印刷絵柄Ａを切り離して綺麗な証明写真を提供することが可能になる。
【００９６】
さらに、本実施形態では、残りの用紙１００の先端に印刷絵柄Ａが残るようなダブルカットによるプリント（図１６のＳ３３）を行った場合に目印ファイルを作成することで、この目印ファイルを参照することにより、当該プリントが前回のプリント時に行われたかどうかの判定（図１６のＳ３５）を好適に行うことができる。この目印ファイルは、当該目印ファイルを参照して上記の判定を行い、その結果から証明写真のダブルカットによるプリント（図１６のＳ３７）を行った後は不要になるので、これを削除する。
【００９７】
しかしながら、本発明は上記の実施形態に限らない。例えば上記したＳ３５の判定は省略することも可能であり、この場合、図１０（ｂ）のような背景絵柄の無い証明写真については全てシングルカットによるプリントを実行することになる。
【００９８】
また本実施形態ではユーザを撮影した画像を証明写真として登録サーバ４に登録したりプリントしたりしているが、「証明写真」とは、パスポートや運転免許証等に用いる人物画像だけでなく、その人を識別するための人物画像全般を最も広義に含むものとする。
【００９９】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１００】
１：画像プリントシステム
２：写真撮影装置
３：画像サーバ
４：登録サーバ
５：ユーザ端末
６：ネットワーク
２０：制御装置
２１：表示部
２２：課金部
２３：撮影部
２４：照明
２５：プリンタ
２６：センサ
２７：カーテン
２８：プリント物取出口
１００：用紙
１０１：印画領域
１０２：カットクズ
１１０：撮影部
１２０：ダウンロード部
１３０：証明写真登録部
１４０：プリント部
【図１】
2019151017.tif 000003
【図２】
2019151017.tif 000004
【図３】
2019151017.tif 000005
【図４】
2019151017.tif 000006
【図５】
2019151017.tif 000007
【図６】
2019151017.tif 000008
【図７】
2019151017.tif 000009
【図８】
2019151017.tif 000010
【図９】
2019151017.tif 000011
【図１０】
2019151017.tif 000012
【図１１】
2019151017.tif 000013
【図１２】
2019151017.tif 000014
【図１３】
2019151017.tif 000015
【図１４】
2019151017.tif 000016
【図１５】
2019151017.tif 000017
【図１６】
2019151017.tif 000018
【図１７】
2019151017.tif 000019